(57)【要約】【課題】メモリ・ディスク含めた準リアルタイムなレプリケーションによるホットスタンバイと、ディスクのレプリケーションによるコールドスタンバイの２つの方式を複数のリカバリサイトに統合的に適用することができるディザスタリカバリシステムを提供する。【解決手段】ディザスタリカバリシステムにおいて、仮想マシン１０１の更新データを抽出し、更新データ格納領域２０１に格納するメモリ・ディスク更新データ抽出処理部２０５と、更新データ格納領域２０１に格納したデータを複数のバックアップ先のデータセンタに転送する複数サイトデータ転送処理部２０６と、更新データ格納領域２１１に格納された同期ポイントに基づいて、バックアップ先のディザスタリカバリに関するレベルに応じたバックアップデータを確定し、仮想マシン１１１にバックアップデータを格納するメモリ・ディスクバックアップデータ確定処理部２０７を有する。【選択図】  図３
2014048869.tif 000002
【特許請求の範囲】
【請求項１】
データセンタ上の第１の仮想マシンのデータを、他の複数のデータセンタ上の第２の仮想マシンにバックアップするディザスタリカバリ方法であって、
バックアップ元の前記データセンタにより、前記第１の仮想マシンの更新データを抽出し、ディザスタリカバリに関する複数レベルの同期ポイントを挿入しながらバックアップ元の前記データセンタ内の第１の更新データ格納領域に格納し、前記第１の更新データ格納領域に格納されたデータを、複数のバックアップ先の前記データセンタに転送し、バックアップ先の前記データセンタ内の第２の更新データ格納領域に格納させ、
バックアップ先の前記データセンタにより、前記第２の更新データ格納領域に格納された前記同期ポイントに基づいて、前記バックアップ先の前記ディザスタリカバリに関するレベルに応じたバックアップデータを確定し、前記第２の仮想マシンに前記バックアップデータを格納することを特徴とするディザスタリカバリ方法。
【請求項２】
請求項１に記載のディザスタリカバリ方法において、
バックアップ先の前記データセンタにより、前記第２の更新データ格納領域に格納されたデータを、そのまま他のバックアップ先の前記データセンタに転送し、バックアップ先の前記データセンタ内の第３の更新データ格納領域に格納させることを特徴とするディザスタリカバリ方法。
【請求項３】
請求項２に記載のディザスタリカバリ方法において、
前記同期ポイントは、ホットスタンバイ型およびコールドスタンバイ型の同期ポイントであることを特徴とするディザスタリカバリ方法。
【請求項４】
請求項３に記載のディザスタリカバリ方法において、
バックアップ元の前記データセンタにより、前記第１の仮想マシンのメモリおよびディスクの更新データを抽出し、前記メモリおよび前記ディスクのそれぞれについて、前記ディザスタリカバリに関する複数レベルの同期ポイントを挿入しながらバックアップ元の前記データセンタ内の前記第１の更新データ格納領域に格納し、
バックアップ先の前記データセンタにより、前記第２の仮想マシンが、ホットスタンバイ型のバックアップ先の場合は、前記ホットスタンバイ型および前記コールドスタンバイ型の同期ポイントに基づいて、前記バックアップデータを確定し、前記第２の仮想マシンのメモリおよびディスクに前記バックアップデータを格納し、前記第２の仮想マシンが、コールドスタンバイ型のバックアップ先の場合は、前記コールドスタンバイ型の同期ポイントに基づいて、前記バックアップデータを確定し、前記第２の仮想マシンの前記ディスクに前記バックアップデータを格納することを特徴とするディザスタリカバリ方法。
【請求項５】
データセンタ上の第１の仮想マシンのデータを、他の複数のデータセンタ上の第２の仮想マシンにバックアップするディザスタリカバリシステムであって、
バックアップ元の前記データセンタは、
前記第１の仮想マシンの更新データを抽出し、ディザスタリカバリに関する複数レベルの同期ポイントを挿入しながらバックアップ元の前記データセンタ内の第１の更新データ格納領域に格納する更新データ抽出処理部と、
前記第１の更新データ格納領域に格納されたデータを、複数のバックアップ先の前記データセンタに転送し、バックアップ先の前記データセンタ内の第２の更新データ格納領域に格納させる複数サイトデータ転送処理部とを有し、
バックアップ先の前記データセンタは、
前記第２の更新データ格納領域に格納された前記同期ポイントに基づいて、前記バックアップ先の前記ディザスタリカバリに関するレベルに応じたバックアップデータを確定し、前記第２の仮想マシンに前記バックアップデータを格納するバックアップデータ確定処理部を有することを特徴とするディザスタリカバリシステム。
【請求項６】
請求項５に記載のディザスタリカバリシステムにおいて、
バックアップ先の前記データセンタは、
前記複数サイトデータ転送処理部を有し、
前記複数サイトデータ転送処理部は、前記第２の更新データ格納領域に格納されたデータを、そのまま他のバックアップ先の前記データセンタに転送し、バックアップ先の前記データセンタ内の第３の更新データ格納領域に格納させることを特徴とするディザスタリカバリシステム。
【請求項７】
請求項６に記載のディザスタリカバリシステムにおいて、
前記同期ポイントは、ホットスタンバイ型およびコールドスタンバイ型の同期ポイントであることを特徴とするディザスタリカバリシステム。
【請求項８】
請求項７に記載のディザスタリカバリシステムにおいて、
前記更新データ抽出処理部は、前記第１の仮想マシンのメモリおよびディスクの更新データを抽出し、前記メモリおよびディスクのそれぞれについて、前記ディザスタリカバリに関する複数レベルの同期ポイントを挿入しながらバックアップ元の前記データセンタ内の前記第１の更新データ格納領域に格納し、
前記バックアップデータ確定処理部は、前記第２の仮想マシンが、ホットスタンバイ型のバックアップ先の場合は、前記ホットスタンバイ型および前記コールドスタンバイ型の同期ポイントに基づいて、前記バックアップデータを確定し、前記第２の仮想マシンのメモリおよびディスクに前記バックアップデータを格納し、前記第２の仮想マシンが、コールドスタンバイ型のバックアップ先の場合は、前記コールドスタンバイ型の同期ポイントに基づいて、前記バックアップデータを確定し、前記第２の仮想マシンの前記ディスクに前記バックアップデータを格納することを特徴とするディザスタリカバリシステム。
【発明の詳細な説明】
【技術分野】
【０００１】
本発明は、仮想化環境上のＩＴシステムのディザスタリカバリ方法およびディザスタリカバリシステムに関し、特に複数のリカバリサイト、複数のＲＰＯ（ｒｅｃｏｖｅｒｙ  ｐｏｉｎｔ  ｏｂｊｅｃｔｉｖｅ：目標復旧地点）／ＲＴＯ（ｒｅｃｏｖｅｒｙ  ｔｉｍｅ  ｏｂｊｅｃｔｉｖｅ：目標復旧時間）レベルを持つディザスタリカバリに関するものである。
【背景技術】
【０００２】
２０１１年３月１１日に発生した東日本大震災をきっかけに、（１）生活継続を支える社会インフラの必要性、（２）企業の社会的責任としての事業継続管理の強化、（３）グローバルを前提としたビジネス展開、（４）持たざる経営による企業経営体質の改善・強化、などの課題が改めて認識されるようになった。
【０００３】
特に、継続性の領域において、バックアップ、ＢＣ（Ｂｕｓｉｎｅｓｓ  Ｃｏｎｔｉｎｕｉｔｙ：事業継続）／ＤＲ（Ｄｉｓａｓｔｅｒ  Ｒｅｃｏｖｅｒｙ：災害復旧）に対しての意識が高まっている。
【発明の概要】
【発明が解決しようとする課題】
【０００４】
しかしながら、バックアップ、ＢＣ／ＤＲにおいては、具体的には、次のような点が問題視されるようになっている。
【０００５】
○プライマリサイトとリカバリサイトの地理的な距離感
○海との距離感
○これまでディザスタリカバリに対応してこなかった企業（主に中小企業）が、サプライチェーンから切り離されてしまうこと
○日本が地震大国であることへの不安
○リカバリサイトが１箇所であることへの不安
このため、次のような特長を持つディザスタリカバリ方法およびディザスタリカバリシステムが必要となっている。
【０００６】
○複数の地理的に離れた場所にリカバリサイトを持つことができること
○サプライチェーン維持のために中小企業が利用しやすい予算に見合ったサービスレベルプランを提供できること。具体的には、複数のリカバリサイトにバックアップを行う場合、各リカバリサイトごとに異なるＲＰＯ／ＲＴＯレベルを指定できること
（ａ）分・時間レベルのＲＰＯ／ＲＴＯ
・メモリ・ディスクを含めた準リアルタイムなレプリケーションによるホットスタンバイ方式が必要
（ｂ）日レベルのＲＰＯ／ＲＴＯ
・ディスクのレプリケーションによるコールドスタンバイ方式が必要
現在、ディザスタリカバリを実現するための様々な技術が存在するが、それぞれ以下のような問題点があり、上記の特長を持つディザスタリカバリ方法およびディザスタリカバリシステムを実現することができない。
【０００７】
○ＣＤＰ（Ｃｏｎｔｉｎｕｏｕｓ  Ｄａｔａ  Ｐｒｏｔｅｃｔｉｏｎ：継続的データ保護技術）、各種レプリケーション技術
・分・時間レベルのＲＰＯ／ＲＴＯを実現するためには、メモリ・ディスクの両方を統合して静止点をとる必要があるが、それができない
○その他バックアップソフト
・複数サイトへのデータ転送が効率的にできない
・サイト数分のバックアップ実行が必要になり、サーバ処理性能やネットワーク帯域のスケールアップなしでは、ＲＰＯ／ＲＴＯを満足することが難しくなる
そこで、本発明の目的は、メモリ・ディスクを含めた準リアルタイムなレプリケーションによるホットスタンバイと、ディスクのレプリケーションによるコールドスタンバイの２つの方式を複数のリカバリサイトに統合的に適用することができるディザスタリカバリ方法およびディザスタリカバリシステムを提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次の通りである。
【００１０】
すなわち、代表的なものの概要は、データセンタ上の第１の仮想マシンのデータを、他の複数のデータセンタ上の第２の仮想マシンにバックアップするディザスタリカバリ方法であって、バックアップ元のデータセンタにより、第１の仮想マシンの更新データを抽出し、ディザスタリカバリに関する複数レベルの同期ポイントを挿入しながらバックアップ元のデータセンタ内の第１の更新データ格納領域に格納し、第１の更新データ格納領域に格納されたデータを、複数のバックアップ先のデータセンタに転送し、バックアップ先のデータセンタ内の第２の更新データ格納領域に格納させ、バックアップ先のデータセンタにより、第２の更新データ格納領域に格納された同期ポイントに基づいて、バックアップ先のディザスタリカバリに関するレベルに応じたバックアップデータを確定し、第２の仮想マシンにバックアップデータを格納するものである。
【００１１】
また、データセンタ上の第１の仮想マシンのデータを、他の複数のデータセンタ上の第２の仮想マシンにバックアップするディザスタリカバリシステムであって、バックアップ元のデータセンタは、第１の仮想マシンの更新データを抽出し、ディザスタリカバリに関する複数レベルの同期ポイントを挿入しながらバックアップ元のデータセンタ内の第１の更新データ格納領域に格納する更新データ抽出処理部と、第１の更新データ格納領域に格納されたデータを、複数のバックアップ先のデータセンタに転送し、バックアップ先のデータセンタ内の第２の更新データ格納領域に格納させる複数サイトデータ転送処理部とを有し、バックアップ先のデータセンタは、第２の更新データ格納領域に格納された同期ポイントに基づいて、バックアップ先のディザスタリカバリに関するレベルに応じたバックアップデータを確定し、第２の仮想マシンにバックアップデータを格納するバックアップデータ確定処理部を有するものである。
【発明の効果】
【００１２】
本願において開示される発明のうち、代表的なものによって得られる効果を簡単に説明すれば以下の通りである。
【００１３】
すなわち、代表的なものによって得られる効果は、複数リカバリサイト・複数ＲＰＯ／ＲＴＯレベルを持つディザスタリカバリ方法およびディザスタリカバリシステムを実現することができる。さらに、従来よりディザスタリカバリシステムの構成をシンプルにすることができる。
【図面の簡単な説明】
【００１４】
【図１】本発明の一実施の形態に係るディザスタリカバリシステムが適用されるデータセンタ網の構成を示す構成図である。
【図２】本発明の一実施の形態に係るディザスタリカバリシステムによるバックアップの概要を説明するための説明図である。
【図３】本発明の一実施の形態に係るディザスタリカバリシステムによるバックアップの詳細を説明するための説明図である。
【発明を実施するための形態】
【００１５】
以下、本発明の実施の形態を図面に基づいて詳細に説明する。なお、実施の形態を説明するための全図において、同一の部材には原則として同一の符号を付し、その繰り返しの説明は省略する。
【００１６】
＜ディザスタリカバリシステムが適用されるデータセンタ網の構成＞
図１により、本発明の一実施の形態に係るディザスタリカバリシステムが適用されるデータセンタ網の構成について説明する。図１は本発明の一実施の形態に係るディザスタリカバリシステムが適用されるデータセンタ網の構成を示す構成図である。
【００１７】
図１において、データセンタは、関西データセンタ１００、中部データセンタ１１０、関東データセンタ１２０、九州データセンタ１３０、中国データセンタ１４０、北海道データセンタ１５０が設置されている。
【００１８】
各データセンタは必要に応じて接続できるようになっており、データセンタ網が形成されている。
【００１９】
また、データセンタ上では、仮想化機構により仮想マシンが起動しており、図１に示す例では、関西データセンタ１００上の第１の仮想マシンである仮想マシン１０１のデータが中部データセンタ１１０上の第２の仮想マシンである仮想マシン１１１と第２の仮想マシンである九州データセンタ１３０上の仮想マシン１３１にバックアップされている。
【００２０】
さらに中部データセンタ１１０上の仮想マシン１１１のデータが関東データセンタ１２０上の第３の仮想マシンである仮想マシン１２１にバックアップされている。
【００２１】
＜ディザスタリカバリシステムによるバックアップの概要＞
次に、図２により、本発明の一実施の形態に係るディザスタリカバリシステムによるバックアップの概要について説明する。図２は本発明の一実施の形態に係るディザスタリカバリシステムによるバックアップの概要を説明するための説明図である。
【００２２】
図２において、関西データセンタ１００上の仮想マシン１０１には、仮想マシンとしてのメモリ１０２、ディスク（データ）１０３、およびディスク（システム）１０４が割り当てられており、メモリ１０２、ディスク（データ）１０３、およびディスク（システム）１０４のデータをバックアップしている。
【００２３】
バックアップ先の仮想マシンとしては、中部データセンタ１１０上の仮想マシン１１１をホットスタンバイ型、関東データセンタ１２０上の仮想マシン１２１と九州データセンタ１３０上の仮想マシン１３１をコールドスタンバイ型として動作させている。
【００２４】
また、関東データセンタ１２０上の仮想マシン１２１は、ホットスタンバイ型の中部データセンタ１１０上の仮想マシン１１１からバックアップされるようになっている。
【００２５】
また、関西データセンタ１００上の仮想マシン１０１からは、コールドスタンバイ型の同期をとるためのコールドスタンバイ型同期ポイント信号１０、ホットスタンバイ型の同期をとるためのホットスタンバイ型同期ポイント信号１１、およびメモリまたはディスクの更新データであるメモリ・ディスク更新データ１２が、メモリ１０２、ディスク（データ）１０３、ディスク（システム）１０４のそれぞれのデータとして送信されている。
【００２６】
コールドスタンバイ型同期ポイント信号１０およびホットスタンバイ型同期ポイント信号１１が、ディザスタリカバリに関する複数レベルの同期ポイントとして使用される。
【００２７】
そして、関西データセンタ１００上の仮想マシン１０１から送信された各データは、ホットスタンバイ型の中部データセンタ１１０上の仮想マシン１１１では、仮想マシン１０１のメモリ１０２、ディスク（データ）１０３、およびディスク（システム）１０４のデータが、メモリ１１２、ディスク（データ）１１３、およびディスク（システム）１１４にバックアップされる。
【００２８】
また、コールドスタンバイ型の九州データセンタ１３０上の仮想マシン１３１では、メモリ１０２のデータはバックアップされず、ディスク（データ）１０３およびディスク（システム）１０４のデータが、ディスク（データ）１３２およびディスク（システム）１３３にバックアップされる。
【００２９】
また、ホットスタンバイ型の中部データセンタ１１０上の仮想マシン１１１では、さらに受信したコールドスタンバイ型同期ポイント信号１０、ホットスタンバイ型同期ポイント信号１１、およびメモリ・ディスク更新データ１２を、コールドスタンバイ型の関東データセンタ１２０上の仮想マシン１２１に送信している。
【００３０】
そして、ホットスタンバイ型の中部データセンタ１１０上の仮想マシン１１１から送信された各データは、コールドスタンバイ型の関東データセンタ１２０上の仮想マシン１２１では、メモリ１１２のデータはバックアップされず、ディスク（データ）１１３およびディスク（システム）１１４のデータが、ディスク（データ）１２２およびディスク（システム）１２３にバックアップされる。
【００３１】
これらのバックアップは、コールドスタンバイ型の関東データセンタ１２０上の仮想マシン１２１および九州データセンタ１３０上の仮想マシン１３１では、コールドスタンバイ型同期ポイント信号１０に基づいて、バックアップ処理が行われる。
【００３２】
また、ホットスタンバイ型の中部データセンタ１１０上の仮想マシン１１１では、ホットスタンバイ型同期ポイント信号１１に基づいて、バックアップ処理が行われる。
【００３３】
このように本実施の形態では、バックアップ元である関西データセンタ１００上の仮想マシン１０１では、複数のリカバリサイトとなるデータセンタ上の仮想マシンに対して、コールドスタンバイ型同期ポイント信号１０、ホットスタンバイ型同期ポイント信号１１、およびメモリ・ディスク更新データ１２を非同期で送信し、そのデータに基づいて、バックアップ元でバックアップを行っている。
【００３４】
また、そのバックアップは、ホットスタンバイ型またはコールドスタンバイ型の違いにより、コールドスタンバイ型同期ポイント信号１０およびホットスタンバイ型同期ポイント信号１１に基づいてバックアップ処理を行っている。
【００３５】
さらに、ホットスタンバイ型の仮想マシンからは、さらに別の仮想マシンに対して、受信したコールドスタンバイ型同期ポイント信号１０、ホットスタンバイ型同期ポイント信号１１、およびメモリ・ディスク更新データ１２をそのまま送信することにより、バックアップ元のデータをさらに別の仮想マシンにバックアップしている。
【００３６】
これにより、複数リカバリサイトで、複数のＲＰＯ／ＲＴＯレベルを持つディザスタリカバリを実現することができる。
【００３７】
さらに、従来よりディザスタリカバリシステムの構成をシンプルにすることができる。
【００３８】
＜ディザスタリカバリシステムによるバックアップの詳細＞
次に、図３により、本発明の一実施の形態に係るディザスタリカバリシステムによるバックアップの詳細について説明する。図３は本発明の一実施の形態に係るディザスタリカバリシステムによるバックアップの詳細を説明するための説明図である。
【００３９】
図３において、関西データセンタ１００上の仮想マシン１０１は、関西データセンタ１００の仮想化機構２００により、メモリ１０２、ディスク（データ）１０３、およびディスク（システム）１０４が割り当てられ、その他ＣＰＵ（図示せず）なども割り当てられて動作している。
【００４０】
同様に、中部データセンタ１１０の仮想マシン１１１は、仮想化機構２１０により動作し、関東データセンタ１２０の仮想マシン１２１は、仮想化機構２２０により動作し、九州データセンタ１３０の仮想マシン１３１は、仮想化機構２３０により動作している。
【００４１】
また、仮想化機構２００は、メモリやディスクから更新データを抽出するメモリ・ディスク更新データ抽出処理部２０５、複数のバックアップ先にデータを転送する複数サイトデータ転送処理部２０６、バックアップ元でメモリやディスクのバックアップデータを確定するメモリ・ディスクバックアップデータ確定処理部２０７、メモリやディスクのバックアップの更新データを生成する際の静止点を取得するメモリ・ディスク静止点取得処理部２０８を備えている。
【００４２】
また、図示しないが、仮想化機構２１０、２２０、２３０にも同様に、メモリ・ディスク更新データ抽出処理部２０５、複数サイトデータ転送処理部２０６、メモリ・ディスクバックアップデータ確定処理部２０７、メモリ・ディスク静止点取得処理部２０８を備えている。
【００４３】
また、仮想化機構２００は、バックアップを行う際に、コールドスタンバイ型同期ポイント信号１０、ホットスタンバイ型同期ポイント信号１１、およびメモリ・ディスク更新データ１２が格納される第１の更新データ格納領域である更新データ格納領域２０１を備えている。
【００４４】
同様に、仮想化機構２１０、２２０、２３０には、第２の更新データ格納領域である更新データ格納領域２１１、第３の更新データ格納領域である更新データ格納領域２２１、第２の更新データ格納領域である更新データ格納領域２３１を備えている。
【００４５】
本実施の形態では、バックアップデータの転送は、バックアップ元の仮想マシンから直接行うのではなく、バックアップ元で、一旦、仮想化機構内の更新データ格納領域に各データを格納し、バックアップ先でも仮想化機能内の更新データ格納領域に各データを格納した後、バックアップデータを確定して、バックアップ先の仮想マシンにバックアップするようになっている。
【００４６】
以下、バックアップ時の動作について説明する。
【００４７】
まず、メモリ・ディスク静止点取得処理部２０８により、バックアップの静止点としてのデータを取得し、メモリ・ディスク更新データ抽出処理部２０５で更新データ抽出処理が行われ、更新データを抽出する。
【００４８】
この更新データはＲＰＯ／ＲＴＯレベルの異なる同期ポイントとして、コールドスタンバイ型同期ポイント信号１０およびホットスタンバイ型同期ポイント信号１１が挿入されて、更新データ格納領域２０１に格納される。
【００４９】
その後、複数サイトデータ転送処理部２０６により、データ転送処理が行われ、複数のデータセンタの仮想化機構の更新データ格納領域に転送される。
【００５０】
図３に示す例では、関西データセンタ１００の仮想化機構２００の更新データ格納領域２０１の各データは、中部データセンタ１１０の仮想化機構２１０の更新データ格納領域２１１および九州データセンタ１３０の仮想化機構２３０の更新データ格納領域２３１に転送されている。
【００５１】
中部データセンタ１１０の仮想化機構２１０では、更新データ格納領域２１１に格納されたデータをメモリ・ディスクバックアップデータ確定処理部２０７により、バックアップデータ確定処理が行われ、バックアップデータとして確定して、仮想マシン１１１のメモリ１１２、ディスク（データ）１１３、ディスク（システム）１１４に格納する。
【００５２】
中部データセンタ１１０の仮想マシン１１１は、ホットスタンバイ型として動作しているので、コールドスタンバイ型同期ポイント信号１０およびホットスタンバイ型同期ポイント信号１１を同期ポイントとして処理し、処理した同期ポイントの間のメモリ・ディスク更新データ１２がバックアップデータとして格納される。
【００５３】
また、九州データセンタ１３０の仮想化機構２３０では、更新データ格納領域２３１に格納されたデータを、メモリ・ディスクバックアップデータ確定処理部２０７により、バックアップデータ確定処理が行われ、バックアップデータとして確定して、仮想マシン１３１のディスク（データ）１３２、ディスク（システム）１３３に格納する。
【００５４】
九州データセンタ１３０の仮想マシン１３１は、コールドスタンバイ型として動作しているので、メモリの更新データは無視して、さらにホットスタンバイ型同期ポイント信号１１は無視し、コールドスタンバイ型同期ポイント信号１０を同期ポイントとして処理し、処理した同期ポイントの間のメモリ・ディスク更新データ１２がバックアップデータとして格納される。
【００５５】
また、中部データセンタ１１０の仮想化機構２１０では、複数サイトデータ転送処理部２０６により、データ転送処理が行われ、関西データセンタ１００の仮想化機構２００から転送された各データをそのまま、関東データセンタ１２０の仮想化機構２２０の更新データ格納領域２２１に転送している。
【００５６】
そして、関東データセンタ１２０の仮想化機構２２０では、更新データ格納領域２２１に格納されたデータを、メモリ・ディスクバックアップデータ確定処理部２０７により、バックアップデータ確定処理が行われ、バックアップデータとして確定して、仮想マシン１２１のディスク（データ）１２２、ディスク（システム）１２３に格納する。
【００５７】
関東データセンタ１２０の仮想マシン１２１は、コールドスタンバイ型として動作しているので、メモリの更新データは無視して、さらにホットスタンバイ型同期ポイント信号１１は無視し、コールドスタンバイ型同期ポイント信号１０を同期ポイントとして処理し、処理した同期ポイントの間のメモリ・ディスク更新データ１２がバックアップデータとして格納される。
【００５８】
このように本実施の形態では、データセンタの仮想化機構内に更新データ格納領域を設け、仮想マシン間での更新データの転送は行わず、更新データ格納領域間で更新データを転送するようにしているので、シンプルな構成にすることができる。
【００５９】
また、東日本大震災のような広域化する災害に対して、地理的な不安の解消、サプライチェーン寸断の防止を実現できるようになり、事業継続性という観点において顧客満足度に貢献できる。
【００６０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６１】
本発明は、仮想化環境上のＩＴシステムのディザスタリカバリ方法およびディザスタリカバリシステムに関し、複数のリカバリサイト、複数のＲＰＯ／ＲＴＯレベルを持つディザスタリカバリが必要なシステムなどに広く適用可能である。
【符号の説明】
【００６２】
１０…コールドスタンバイ型同期ポイント信号、１１…ホットスタンバイ型同期ポイント信号、１２…メモリ・ディスク更新データ、１００…関西データセンタ、１０１…仮想マシン、１０２…メモリ、１０３…ディスク（データ）、１０４…ディスク（システム）、１１０…中部データセンタ、１１１…仮想マシン、１１２…メモリ、１１３…ディスク（データ）、１１４…ディスク（システム）、１２０…関東データセンタ、１２１…仮想マシン、１２２…ディスク（データ）、１２３…ディスク（システム）、１３０…九州データセンタ、１３１…仮想マシン、１３２…ディスク（データ）、１３３…ディスク（システム）、１４０…中国データセンタ、１５０…北海道データセンタ、２００…仮想化機構、２０１…更新データ格納領域、２０５…メモリ・ディスク更新データ抽出処理部、２０６…複数サイトデータ転送処理部、２０７…メモリ・ディスクバックアップデータ確定処理部、２０８…メモリ・ディスク静止点取得処理部、２１０…仮想化機構、２１１…更新データ格納領域、２２０…仮想化機構、２２１…更新データ格納領域、２３０…仮想化機構、２３１…更新データ格納領域。
【図１】
2014048869.tif 000003
【図２】
2014048869.tif 000004
【図３】
2014048869.tif 000005